(57)【要約】【課題】可動部を有する感光体ドラムユニットを梱包しても傷付き等の不具合を生じ難い感光体ドラムユニット用の梱包容器を提供する。【解決手段】感光体ドラムと、感光体ドラムの端部に配置され、軸受部材及び軸受部材に可動に保持される軸部材を有してなる端部部材と、が組み合わされた感光体ドラムユニットを収納する梱包容器であって、感光体ドラムユニットが複数収納される箱体と、端部部材のうち、軸部材を保護する保護部材と、を備える。【選択図】図５
2017072761.tif 000002
【特許請求の範囲】
【請求項１】
感光体ドラムと、前記感光体ドラムの端部に配置され、軸受部材及び前記軸受部材に可動に保持される軸部材を有してなる端部部材と、が組み合わされた感光体ドラムユニットを収納する梱包容器であって、
前記感光体ドラムユニットが複数収納される箱体と、
前記端部部材のうち、前記軸部材を保護する保護部材と、を備える、
梱包容器。
【請求項２】
前記保護部材が、前記軸部材を覆うことが可能な筒状である請求項１に記載の梱包容器。
【請求項３】
前記保護部材が、前記筒状の内側の少なくとも一部を塞ぐように配置された押圧部材を具備する請求項２に記載の梱包容器。
【請求項４】
前記保護部材が、容器状に形成された緩衝シートである請求項１に記載の梱包容器。
【請求項５】
前記保護部材が、箱状であり、底板には前記軸部材を貫通し、前記軸受部材は貫通しない穴が設けられている請求項１に記載の梱包容器。
【請求項６】
前記保護部材が緩衝シートである請求項１に記載の梱包容器。
【請求項７】
前記保護部材が、長手方向に延びる棒状の部材であり、長手方向に沿って、前記軸受部材の外周の一部を覆うべき複数の窪みが配列されている、請求項１に記載の梱包容器。
【請求項８】
感光体ドラム、並びに、前記感光体ドラムの端部に配置され、軸受部材及び前記軸受部材に可動に保持される軸部材を有してなる端部部材、が組み合わされた感光体ドラムユニットと、
前記感光体ドラムユニットが複数収納される箱体と、
前記端部部材のうち、前記軸部材を保護する保護部材と、を備える、
梱包体。
【請求項９】
前記保護部材は筒状であり、該保護部材が前記軸部材を覆うように配置され、
前記感光体ドラムユニットは、前記端部部材が前記箱体のフタ部に向くように立てられて配置されている請求項８に記載の梱包体。
【請求項１０】
前記保護部材は前記筒状の内側の少なくとも一部を塞ぐように配置された押圧部材を具備し、前記軸部材が前記押圧部材により押圧されている請求項８に記載の梱包体。
【請求項１１】
前記保護部材が容器状に形成された緩衝シートであり、前記保護部材が前記軸部材に被せられるように配置され、
前記感光体ドラムユニットは、前記端部部材が前記箱体のフタ部に向くように立てられて配置されている請求項８に記載の梱包体。
【請求項１２】
前記保護部材が箱状であり、底板には前記軸部材を貫通させ、前記軸受部材は貫通しない穴が設けられており、該穴に前記軸部材を貫通させて配置され、
前記感光体ドラムユニットは、前記端部部材が前記箱体のフタ部に向くように立てられて配置されている請求項８に記載の梱包体。
【請求項１３】
前記感光体ドラムユニットは、前記端部部材が前記箱体のフタ部に向くように立てられて配置され、
前記保護部材が緩衝シートであり、前記箱体のフタ部と前記端部部材との間に前記保護部材が敷かれている、請求項８に記載の梱包体。
【請求項１４】
前記保護部材は筒状であり、該保護部材が前記軸部材を覆うように配置され、
前記感光体ドラムユニットは、前記端部部材が前記箱体の底部に向くように立てられて配置されている請求項８に記載の梱包体。
【請求項１５】
前記保護部材は前記筒状の内側の少なくとも一部を塞ぐように配置された押圧部材を具備し、前記軸部材が前記押圧部材により押圧されている請求項１４に記載の梱包体。
【請求項１６】
前記保護部材が容器状に形成された緩衝シートであり、前記保護部材が前記軸部材に被せられるように配置され、
前記感光体ドラムユニットは、前記端部部材が前記箱体の底部に向くように立てられて配置されている請求項８に記載の梱包体。
【請求項１７】
前記保護部材が箱状であり、底板には前記軸部材を貫通させ、前記軸受部材は貫通しない穴が設けられており、該穴に前記軸部材を貫通させて配置され、
前記感光体ドラムユニットは、前記端部部材が前記箱体の底部に向くように立てられて配置されている請求項８に記載の梱包体。
【請求項１８】
前記感光体ドラムユニットは、前記端部部材が前記箱体の底部に向くように立てられて配置され、
前記保護部材が緩衝シートであり、前記箱体の底部と前記端部部材との間に前記保護部材が敷かれている、請求項８に記載の梱包体。
【請求項１９】
前記保護部材は筒状であり、該保護部材が前記軸部材を覆うように配置され、
前記感光体ドラムユニットは、前記端部部材が前記箱体の側部に向くように横に配置されている請求項８に記載の梱包体。
【請求項２０】
前記保護部材は前記筒状の内側の少なくとも一部を塞ぐように配置された押圧部材を具備し、前記軸部材が前記押圧部材により押圧されている請求項１９に記載の梱包体。
【請求項２１】
前記保護部材が長手方向に延びる棒状の部材であり、長手方向に沿って、前記軸受部材の外周の一部を覆うべき複数の窪みが配列され、該窪みに前記軸受部材が配置され、
前記感光体ドラムユニットは、前記端部部材が前記箱体の側部に向くように横に配置されている請求項８に記載の梱包体。
【発明の詳細な説明】
【技術分野】
【０００１】
本発明は、レーザープリンタや複写機等の画像形成装置に用いられる感光体ドラムユニットを梱包するための梱包容器、及び当該梱包容器に複数の感光体ドラムが配列された感光体ドラムユニットの梱包体に関する。
【背景技術】
【０００２】
レーザープリンタや複写機等に代表される画像形成装置に用いられる感光体ドラムを輸送したり保管したりする際には、複数の当該感光体ドラムを容器に梱包することが一般的である。そのとき、隣り合う感光体ドラム同士の接触防止、湿度管理、取り出す際の不具合、及び梱包容器自体の構造等の問題があり、特許文献１、２に記載のような梱包容器によりこれら問題を解決することができるとしている。
【先行技術文献】
【特許文献】
【０００３】
【特許文献１】特開２０１２−２４０７１６号公報
【特許文献２】特開２０００−７０４８号公報
【発明の概要】
【発明が解決しようとする課題】
【０００４】
しかしながら特許文献１、２に記載の感光体ドラムの梱包は、感光体ドラムの両端に取り付けられる端部部材（「フランジ」と呼ぶこともある。）が未装着であり、感光体ドラムに端部部材を取り付けた感光体ドラムユニットを梱包対象としていない。
従来の特許文献１、２に記載のような梱包容器に感光体ドラムユニットを配列すると、端部部材が傷ついたり、梱包容器が傷ついたりすることがある。また、可動部を有する端部部材であると、輸送中に可動部が動き、部材同士の擦れにより削れた粉が感光体に付着したり、部材の間に入り込んだりする不具合もある。
【０００５】
そこで本発明は上記問題点に鑑み、可動部を有する感光体ドラムユニットを梱包しても傷付き等の不具合を生じ難い感光体ドラムユニット用の梱包容器を提供することを課題とする。また、当該梱包容器に感光体ドラムユニットが配列された梱包体を提供する。
【課題を解決するための手段】
【０００６】
以下、本発明について説明する。
【０００７】
請求項１に記載の発明は、感光体ドラムと、感光体ドラムの端部に配置され、軸受部材及び軸受部材に可動に保持される軸部材を有してなる端部部材と、が組み合わされた感光体ドラムユニットを収納する梱包容器であって、感光体ドラムユニットが複数収納される箱体と、端部部材のうち、軸部材を保護する保護部材と、を備える、梱包容器である。
【０００８】
請求項２に記載の発明は、請求項１に記載の梱包容器において、保護部材が、軸部材を覆うことが可能な筒状である。
【０００９】
請求項３に記載の発明は、請求項２に記載の梱包容器において、保護部材が、筒状の内側の少なくとも一部を塞ぐように配置された押圧部材を具備する。
【００１０】
請求項４に記載の発明は、請求項１に記載の梱包容器において、保護部材が、容器状に形成された緩衝シートである。
【００１１】
請求項５に記載の発明は、請求項１に記載の梱包容器において、保護部材が、箱状であり、底板には軸部材を貫通し、軸受部材は貫通しない穴が設けられている。
【００１２】
請求項６に記載の発明は、請求項１に記載の梱包容器において、保護部材が緩衝シートである。
【００１３】
請求項７に記載の発明は、請求項１に記載の梱包容器において、保護部材が、長手方向に延びる棒状の部材であり、長手方向に沿って、軸受部材の外周の一部を覆うべき複数の窪みが配列されている。
【００１４】
請求項８に記載の発明は、感光体ドラム、並びに、感光体ドラムの端部に配置され、軸受部材及び軸受部材に可動に保持される軸部材を有してなる端部部材、が組み合わされた感光体ドラムユニットと、感光体ドラムユニットが複数収納される箱体と、端部部材のうち、軸部材を保護する保護部材と、を備える、梱包体である。
【００１５】
請求項９に記載の発明は、請求項８に記載の梱包体において、保護部材は筒状であり、該保護部材が軸部材を覆うように配置され、感光体ドラムユニットは、端部部材が箱体のフタ部に向くように立てられて配置されている。
【００１６】
請求項１０に記載の発明は、請求項８に記載の梱包体において、保護部材は筒状の内側の少なくとも一部を塞ぐように配置された押圧部材を具備し、軸部材が押圧部材により押圧されている。
【００１７】
請求項１１に記載の発明は、請求項８に記載の梱包体において、保護部材が容器状に形成された緩衝シートであり、保護部材が軸部材に被せられるように配置され、感光体ドラムユニットは、端部部材が箱体のフタ部に向くように立てられて配置されている。
【００１８】
請求項１２に記載の発明は、請求項８に記載の梱包体において、保護部材が箱状であり、底板には軸部材を貫通させ、軸受部材は貫通しない穴が設けられており、該穴に軸部材を貫通させて配置され、感光体ドラムユニットは、端部部材が箱体のフタ部に向くように立てられて配置されている。
【００１９】
請求項１３に記載の発明は、請求項８に記載の梱包体において、感光体ドラムユニットは、端部部材が箱体のフタ部に向くように立てられて配置され、保護部材が緩衝シートであり、箱体のフタ部と端部部材との間に保護部材が敷かれている。
【００２０】
請求項１４に記載の発明は、請求項８に記載の梱包体において、保護部材は筒状であり、該保護部材が軸部材を覆うように配置され、感光体ドラムユニットは、端部部材が箱体の底部に向くように立てられて配置されている。
【００２１】
請求項１５に記載の発明は、請求項１４に記載の梱包体において、保護部材は筒状の内側の少なくとも一部を塞ぐように配置された押圧部材を具備し、軸部材が押圧部材により押圧されている。
【００２２】
請求項１６に記載の発明は、請求項８に記載の梱包体において、保護部材が容器状に形成された緩衝シートであり、保護部材が軸部材に被せられるように配置され、感光体ドラムユニットは、端部部材が箱体の底部に向くように立てられて配置されている。
【００２３】
請求項１７に記載の発明は、請求項８に記載の梱包体において、保護部材が箱状であり、底板には軸部材を貫通させ、軸受部材は貫通しない穴が設けられており、該穴に軸部材を貫通させて配置され、感光体ドラムユニットは、端部部材が箱体の底部に向くように立てられて配置されている。
【００２４】
請求項１８に記載の発明は、請求項８に記載の梱包体において、感光体ドラムユニットは、端部部材が箱体の底部に向くように立てられて配置され、保護部材が緩衝シートであり、箱体の底部と端部部材との間に保護部材が敷かれている。
【００２５】
請求項１９に記載の発明は、請求項８に記載の梱包体において、保護部材は筒状であり、該保護部材が軸部材を覆うように配置され、感光体ドラムユニットは、端部部材が箱体の側部に向くように横に配置されている。
【００２６】
請求項２０に記載の発明は、請求項１９に記載の梱包体において、保護部材は筒状の内側の少なくとも一部を塞ぐように配置された押圧部材を具備し、軸部材が押圧部材により押圧されている。
【００２７】
請求項２１に記載の発明は、請求項８に記載の梱包体において、保護部材が長手方向に延びる棒状の部材であり、長手方向に沿って、軸受部材の外周の一部を覆うべき複数の窪みが配列され、該窪みに軸受部材が配置され、感光体ドラムユニットは、端部部材が箱体の側部に向くように横に配置されている。
【発明の効果】
【００２８】
本発明によれば、可動部を有する感光体ドラムユニットを梱包しても傷付き等の不具合を生じ難くなる。
【図面の簡単な説明】
【００２９】
【図１】感光体ドラムユニット１０の外観斜視図である。
【図２】図２（ａ）は端部部材１３の斜視図、図２（ｂ）は端部部材１３の平面図である。
【図３】緩衝シート２０が巻かれた感光体ドラムユニット１０の斜視図である。
【図４】梱包体３０の斜視図である。
【図５】図４の一部を拡大した図である。
【図６】保護部材３４を説明する図である。
【図７】中敷き３５を説明する図である。
【図８】図８（ａ）は保護部材１３４の斜視図、図８（ｂ）は保護部材１３４の他の斜視図である。
【図９】保護部材１３４を説明する図である。
【図１０】梱包体１３０の一部を拡大した斜視図である。
【図１１】梱包体２３０の一部を拡大した斜視図である。
【図１２】図１２（ａ）は保護部材３３４の斜視図、図１２（ｂ）は保護部材３３４の他の斜視図である。
【図１３】梱包体３３０の一部を拡大した斜視図である。
【図１４】梱包体４３０の一部を拡大した斜視図である。
【図１５】図１５（ａ）は梱包体５３０を説明する斜視図、図１５（ｂ）は図１５（ａ）の一部を拡大した図である。
【図１６】梱包体６３０を説明する斜視図である。
【図１７】可動端部部材側整列補助部材６３３ａの斜視図である。
【図１８】フタ部材側整列補助部材６３３ｂの斜視図である。
【発明を実施するための形態】
【００３０】
以下本発明を図面に示す形態に基づき説明する。ただし本発明はこれら形態に限定されるものではない。
【００３１】
初めに、梱包容器の収納対象、及び梱包体の１つの構成要素である感光体ドラムユニットについて説明する。図１に感光体ドラムユニット１０の外観斜視図を示した。
【００３２】
感光体ドラムユニット１０は、感光体ドラム１１を備え、ここに記録媒体に転写すべき文字や図形等が形成される。図１からわかるように感光体ドラムユニット１０は、感光体ドラム１１、フタ材１２、及び端部部材１３を備えている。
【００３３】
感光体ドラム１１は、円柱状回転体である基体の外周面に感光層を被覆した部材である。当該感光層に、紙等の記録媒体に転写すべき文字や図形等が形成される。
基体はアルミニウム、又はアルミニウム合金による導電性材料が円筒形状に形成されたものである。基体に用いられるアルミニウム合金の種類は特に限定されないが、感光体ドラムの基体として用いられることが多いＪＩＳ規格（ＪＩＳ  Ｈ  ４１４０）で定められる６０００系、５０００系、３０００系のアルミニウム合金であることが好ましい。
また、基体の外周面に形成される感光層は特に限定されることはなく、その目的に応じて公知のものを適用することができる。
基体は、切削加工、押し出し加工、引き抜き加工等により円筒形状を形成することにより製造することができる。そして基体の外周面に感光層を塗布する等して積層して感光体ドラム１１を作製することが可能である。
【００３４】
感光体ドラム１１の一端には後述するように該感光体ドラム１１をその軸線中心に回転させるために少なくとも２つの端部部材が取り付けられる。一方の端部部材がフタ材１２であり、他方の端部部材が端部部材１３である。
【００３５】
フタ材１２は感光体ドラム１１の軸線方向端部のうち一方の端部に配置される端部部材である。フタ材１２は樹脂により形成されており、感光体ドラム１１の円筒内側に嵌合される嵌合部と、感光体ドラム１１の一方の端面を覆うように配置される軸受部とが同軸に形成されている。軸受部は、感光体ドラム１１の端面を覆う円板状であるとともに、回転の軸を受ける部位を具備する。また、フタ材１２には、導電性材料からなるアース板が配置される。
なお、本形態ではフタ材の一例を表したがこれに限定されず、通常取り得る他の形態のフタ材を適用することも可能である。例えばフタ材に回転力伝達のための歯車が配置されてもよい。
また上記導電性材料は端部部材１３側に設けられてもよい。
【００３６】
端部部材１３は、感光体ドラム１１の端部のうち上記フタ材１２とは反対側の端部に取り付けられる部材であり、軸受部材１４及び軸部材１５を備えている。図２（ａ）に端部部材１３の斜視図、図２（ｂ）に端部部材１３の平面図を示した。
【００３７】
軸受部材１４は、端部部材１３のうち感光体ドラム１１の端部に接合される部材である。図２（ａ）、図２（ｂ）に表れる嵌合部１４ａが感光体ドラム１１に差し込まれて接着剤により接合される。これにより、端部部材１３が感光体ドラム１１に固定される。
【００３８】
軸受部材１４を構成する材料は特に限定されることはないが、ポリアセタール、ポリカーボネート、ＰＰＳ等の樹脂や金属を用いることができる。ここで、樹脂を用いる場合には部材の剛性を向上させるために、負荷トルクに応じて樹脂中にガラス繊維、カーボン繊維等を配合してもよい。また、軸部材の取り付けや移動を円滑にするために、樹脂にフッ素、ポリエチレン、及びシリコンゴムの少なくとも１種類を含有して摺動性を向上させてもよい。また、樹脂をフッ素コーティングしたり、潤滑剤を塗布してもよい。
金属で作製する場合は、切削による削り出し、アルミダイキャスト、亜鉛ダイキャスト、金属粉末射出成形法（いわゆるＭＩＭ法）、金属粉末焼結積層法（いわゆる３Ｄプリンタ）などを用いることができる。また、金属の材質は問わず、鉄、ステンレス、アルミニウム、真鍮、銅、亜鉛やこれらの合金等を用いてもよい。また、各種メッキを施して表面に機能性（潤滑性や耐腐食性など）を向上させることができる。
【００３９】
軸部材１５は、軸受部材１４に保持されて画像形成装置本体からの回転駆動力を受けて軸受部材１４に伝達する部材である。軸部材１５は、その一端が軸受部材１４から突出して配置される。また、軸部材１５は、不図示の弾性部材を介して軸受部材１４に保持されており、軸部材１５が軸受部材１４から突出する方向に付勢されている。そして、図２（ｂ）にＩＩで示したように軸線方向に移動できるように構成されている。これにより、感光体ドラムユニットが画像形成装置との着脱時に軸部材１５が軸線方向に移動し、当該着脱が円滑に行われる。
このように、軸部材が軸受部材に対して可動に形成される例は公知の形態を採用することができる。
【００４０】
このような感光体ドラムユニット１０は、次のように構成されて梱包容器に納められる。図３に説明のための斜視図を示した。図３からわかるように、感光体ドラムユニット１０のうち、感光体ドラム１１の周りに緩衝シート２０が巻かれている。このように感光体ドラムユニット１０は、緩衝シート２０が巻かれた状態で梱包容器に収納される。また、感光体ドラム１１と緩衝シート２０とのの間に遮光シートなど、感光体ドラムを保護するシートを巻きつけてもよい。そして、感光体ドラム１１の感光面を保護する観点から、遮光シート又は緩衝シートの少なくとも一方を巻いた状態で収納することが望ましい。
【００４１】
図４には、第一の形態を説明する図で、梱包体３０の斜視図を表した。図４ではわかりやすさのため、フタ部３２ｃを開放した姿勢で、中敷き３５の一部を切り欠いてその下方が見えるように表している。また、図５には図４にＶで示した部位を拡大した図を表した。
図４、図５からわかるように、梱包体３０は、梱包容器３１、及び、上記のように緩衝シート２０が巻かれた感光体ドラムユニット１０を具備して形成されている。
【００４２】
本形態では梱包容器３１は、箱体３２、仕切り３３、保護部材３４、及び中敷き３５を有して構成されている。
【００４３】
箱体３２は、箱状の部材であり、側部３２ａ、底部３２ｂ（図４では死角となり見えない。図１５（ａ）参照）、及びフタ部３２ｃを有して構成されている。このような箱体３２は公知のものを適用することができ、後で説明するような態様で上記した各構成部材が収納することができればその形態は特に限定されるものではない。
【００４４】
仕切り３３は整列補助部材として機能し、各感光体ドラムユニット１０を箱体内で所定の位置に保持するための補助をする。本形態で仕切り３３は、複数の板状の部材が組み合わされることにより、底部３２ｂに平行な断面において格子状に仕切りを形成し、底部３２ｂからフタ部３２ｃの方向には連する空間を形成する部材である。そして仕切られた各空間のそれぞれに緩衝シート２０が巻かれた感光体ドラムユニット１０が配置されている。本形態ではフタ材１２が底部３２ｂ側、端部部材１３がフタ部３２ｃ側を向くようにしてある。これにより隣り合う感光体ドラム１０同士の接触を防止する。
このような仕切り３３は、箱体の内側に形成される格子状のしきりとして公知の形態を適用することができる。
【００４５】
保護部材３４は、軸部材１５のうち少なくとも軸受部材１４から突出した部分を保護する手段の一つの形態である。図６に説明のための図を示した。本形態の保護部材３４は円筒状の部材であり、その内側に軸部材１５の少なくとも一部が収納され、軸部材１５の突出した側の先端は保護部材３４の内側に隠蔽されるように構成されている。
これにより、軸部材１５のうち軸受部材１４から突出した部位の周囲を保護部材３４が取り囲み、保護される。従って可動部を有する端部部材が装着された感光体ドラムユニットを梱包する際にも傷付き等の不具合を生じ難くなる。
【００４６】
中敷き３５は、保護部材３４と箱体３２のフタ部３２ｃとの間に配置される板状の部材であり、図４では切り欠いて示しているが図７に示したように板状である。
【００４７】
以上のような構成の梱包容器３１、及び、ここに感光体ドラムユニット１０が配置された梱包体３０によれば、可動部を有する端部部材が装着された感光体ドラムユニットであっても、当該可動部が保護部材で囲まれて保護されているため、傷つき、輸送中に可動部が動き、部材同士の擦れにより削れた粉が感光体に付着したり、部材の間に入り込んだりする不具合を抑制できる。
【００４８】
図８〜図１０は第二の形態を説明する図である。図８（ａ）は保護部材１３４の一つの視点からの斜視図、図８（ｂ）は保護部材１３４の他の視点からの斜視図である。図９は図６に相当する図、図１０は図５と同じ視点による図である。
第二の形態における梱包体１３０は、上記第一の形態の梱包容器３１の代わりに梱包容器１３１が適用されている。そして、梱包容器１３１では、保護部材３４の代わりに保護部材１３４が用いられる。他の部材については上記した梱包体３０と同じなのでここでは説明を省略する。
【００４９】
保護部材１３４も、軸部材１５のうち少なくとも軸受部材１４から突出した部分を保護する手段の一つの形態である。本形態の保護部材１３４は円筒状の部材であり、その内側に押圧部材１３４ａが設けられている。押圧部材１３４ａは保護部材１３４の内側を横切るように設けられている。保護部材１３４には、その内側に軸部材１５の少なくとも一部が収納され、軸部材１５の突出した側の先端は保護部材１３４の内側に隠蔽されるように構成されている。その際、保護部材１３４の押圧部材１３４ａが軸部材１５を押圧し、端部部材１３の付勢力に抗して軸部材１５を軸受部材１４側に押し込むように移動させる。これにより、軸部材１５が押圧された姿勢で保持させることができる。
これによっても、軸部材１５のうち軸受部材１４から突出した部位の周囲を保護部材３４が取り囲み、保護される。
【００５０】
以上のような構成の梱包容器１３１、及び、ここに感光体ドラムユニット１０が配置された梱包体１３０によっても、可動部を有する端部部材が装着された感光体ドラムユニットであっても、当該可動部が保護部材で囲まれて保護されているため、傷つき、輸送中に可動部が動き、部材同士の擦れにより削れた粉が感光体に付着したり、部材の間に入り込んだりする不具合を抑制できる。
【００５１】
図１１は第三の形態を説明する図で、図５、図１０と同じ視点による図である。第三の形態における梱包体２３０は、上記第一の形態の梱包容器３１の代わりに梱包容器２３１が適用されている。そして、梱包容器２３１では、保護部材３４の代わりに保護部材２３４が用いられる。他の部材については上記した梱包体３０と同じなのでここでは説明を省略する。
【００５２】
保護部材２３４も、軸部材１５のうち少なくとも軸受部材１４から突出した部分を保護する手段の一つの形態である。本形態の保護部材２３４は緩衝シートを容器状（ドーム状）に形成したものであり、これを軸部材１５のうち軸受部材１４から突出した部分を覆うように配置している。
これによっても、軸部材１５のうち軸受部材１４から突出した部位の周囲を保護部材２３４が取り囲み、保護される。
【００５３】
以上のような構成の梱包容器２３１、及び、ここに感光体ドラムユニット１０が配置された梱包体２３０によっても、可動部を有する端部部材が装着された感光体ドラムユニットであっても、当該可動部が保護部材で囲まれて保護されているため、傷つき、輸送中に可動部が動き、部材同士の擦れにより削れた粉が感光体に付着したり、部材の間に入り込んだりする不具合を抑制できる。
【００５４】
図１２、図１３は第四の形態を説明する図である。図１２（ａ）は保護部材３３４の一つの視点からの斜視図、図１２（ｂ）は保護部材３３４の他の視点からの斜視図である。図１３は梱包体３１０のうちフタ部３２ｃを開いた姿勢で、該フタ部３２ｃ付近に注目して表した斜視図である。
第四の形態における梱包体３３０は、上記第一の形態の梱包容器３１の代わりに梱包容器３３１が適用されている。そして、梱包容器３３１では、保護部材３４の代わりに保護部材３３４が用いられる。他の部材については上記した梱包体３０と同じなのでここでは説明を省略する。
【００５５】
保護部材３３４も、軸部材１５のうち少なくとも軸受部材１４から突出した部分を保護する手段の一つの形態である。本形態の保護部材３３４は浅い箱状の部材であり天部が開放された形態である。従って、保護部材３３４は、底板３３４ａ及び底板３３４ａの縁から立設する側板３３４ｃが備えられている。
【００５６】
底板３３４ａは板状の部材であり、複数の穴３３４ｂが設けられている。この穴３３４ｂは軸部材１５は貫通することができるが、軸受部材１４は貫通することができない大きさで形成されている。
側板３３４ｃは底板３３４ａから立設する側壁を形成する板状の部材である。立設する高さは軸部材１５が軸受部材１４から飛び出した大きさ以上であることが好ましい。これにより側壁３３４ｃで囲まれた空間内に当該飛び出した部分の軸部材１５の全てを納めることができる。
【００５７】
このような保護部材３３４は図１３に表したように箱体３２の内側に配置する。すなわち、底板３３４ａを配列された感光体ドラムユニット１０のうち、端部部材１３が配置された側に被せるように配置するこのとき、軸部材１５を穴３３４ｂに貫通させる。また、側板３３４ｃが感光体ドラム１１とは反対側に立設する向きとする。これにより、側板３３４ｃで囲まれた空間の内側に軸部材１５の先端が配置されることとなり、軸部材１５のうち軸受部材１４から突出した部位の周囲を保護部材３３４が取り囲み、保護される。
【００５８】
以上のような構成の梱包容器３３１、及び、ここに感光体ドラムユニット１０が配置された梱包体３３０によっても、可動部を有する端部部材が装着された感光体ドラムユニットであっても、当該可動部が保護部材で囲まれて保護されているため、傷つき、輸送中に可動部が動き、部材同士の擦れにより削れた粉が感光体に付着したり、部材の間に入り込んだりする不具合を抑制できる。
【００５９】
図１４は第五の形態を説明する図で、図５、図１０と同じ視点による図である。第五の形態における梱包体４３０は、上記第一の形態の梱包容器３１の代わりに梱包容器４３１が適用されている。そして、梱包容器４３１では、保護部材３４の代わりに保護部材４３４が用いられる。他の部材については上記した梱包体３０と同じなのでここでは説明を省略する。
【００６０】
保護部材４３４も、軸部材１５のうち少なくとも軸受部材１４から突出した部分を保護する手段の一つの形態である。本形態の保護部材４３４は緩衝シートを軸部材１５と中敷き３５との間に配置するものである。ここで保護部材４３４は常に軸部材１５の先端に接触するように配置されている。
これにより、軸部材１５のうち軸受部材１４から突出した部位を傷つけることなく安定させ保護する。
本形態では中敷き３５と保護部材４３４とを別体で備えているが、これに限定されることはなく、保護部材４３４を中敷き３５と兼用するようにして１枚としてもよい。
【００６１】
以上のような構成の梱包容器４３１、及び、ここに感光体ドラムユニット１０が配置された梱包体４３０によっても、可動部を有する端部部材が装着された感光体ドラムユニットであっても、当該可動部が緩衝作用により保護されているため、傷つき、輸送中に可動部が動き、部材同士の擦れにより削れた粉が感光体に付着したり、部材の間に入り込んだりする不具合を抑制できる。
【００６２】
以上説明した各形態では、可動部を有する端部部材１３及び保護部材３４、１３４、２３４、３３４、４３４が箱体３２のうちフタ部３２ｃ側に向くように配置されたが、これとは逆に、可動部を有する端部部材１３及び保護部材３４、１３４、２３４、３３４、４３４が箱体３２の底部３２ｂ側に向くように配置してもよい。これによっても同様に感光体ドラムユニット１０を保護することができる。
【００６３】
図１５（ａ）は第六の形態を説明する図で、箱体３２の内側を見るために該箱体３２の一部を切り欠いて表している。また、図１５（ａ）では、感光体ドラムユニット１０の配置を説明するために、一部の感光体ドラムユニット１０しか表示していない。図１５（ｂ）は図１５（ａ）の一部を拡大して表している。
図１５（ａ）、図１５（ｂ）からわかるように、本形態の梱包体５３０は、梱包容器５３１及び感光体ドラムユニット１０を具備している。そして梱包容器５３０は、箱体３２、及び保護部材３４を備え、整列補助部材（仕切り等）を備えていない。箱体３２、及び保護部材３４自体の構成は上記したものと同じなので同じ符号を付して説明を省略する。
【００６４】
本形態の梱包体５３０は、緩衝シート２０が巻かれた感光体ドラムユニット１０に対して、第一の形態の梱包体３０と同様にして保護部材３４を取り付ける。そして、図１５（ａ）、図１５（ｂ）からわかるように、箱体３２の向かい合う２つの側部３２ａ間を渡す方向にこれを配置する。すなわち、いわゆる横にして配列していく。
【００６５】
このような構成の梱包容器５３１、及び、ここに感光体ドラムユニット１０が配置された梱包体５３０によっても、可動部を有する端部部材が装着された感光体ドラムユニットであっても、当該可動部が保護部材３４により保護されているため、傷つき、輸送中に可動部が動き、部材同士の擦れにより削れた粉が感光体に付着したり、部材の間に入り込んだりする不具合を抑制できる。
【００６６】
図１６は第七の形態を説明する図で、箱体３２の内側を見るために該箱体３２の一部を切り欠いて表している。また、図１６では、感光体ドラムユニット１０の配置を説明するために、一部の感光体ドラムユニット１０しか表示していない。
【００６７】
図１６からわかるように、本形態の梱包体６３０は、梱包容器６３１及び感光体ドラムユニット１０を具備している。そして梱包容器６３０は、箱体３２、可動端部部材側保護部材６３３ａ、及び、フタ材側保護部材６３３ｂを備えている。本形態では、上記した第六の形態の梱包体５３０に対して、保護部材が可動端部部材側保護部材６３３ａ、及び、フタ材側保護部材６３３ｂとなった点が異なる。従ってここでは、可動端部部材側保護部材６３３ａ、及び、フタ材側保護部材６３３ｂについて説明する。図１７には可動端部部材側保護部材６３３ａの斜視図、図１８にはフタ材側保護部材６３３ｂの斜視図をそれぞれ示した。
【００６８】
可動端部部材側保護部材６３３ａは、図１６及び図１７に表れているように、長手方向に延びる棒状の部材であり、長手方向に沿って複数の半円柱状の窪み６３３ａａ、６３３ａｂが配列されている。また、窪み６３３ａａ側には、端部部材の端面が接触するための壁面を形成する接触壁部６３３ａｃが形成され、ここには穴６３３ａｄが設けられている。
この窪み６３３ａａ及び窪み６３３ａｂは可動端部部材の軸受部材の外周の少なくとも一部を覆って保護する。そして、可動端部部材の軸部材の端面が接触壁部ａｃに接触して保持されるとともに、軸部材の一部は穴６３３ａｃに挿入される。
【００６９】
従って、箱体３２の最も底部３２ｂ側に配置される可動端部部材側保護部材６３３ａには窪み６３３ａａのみが配列され、箱体３２の最もフタ部３２ｃ側に配置される可動端部部材側保護部材６３３ａには窪み６３３ａｂのみが配列されている。そして、その間に配置される可動端部部材側保護部材６３３ａには上面側に窪み６３３ａａ、及び下面側に窪み６３３ａｂが配列されている。
【００７０】
なお、可動端部部材側保護部材６３３ａに加えて、上記した保護部材３４等を組み合わせて適用することもできる。
【００７１】
フタ材側保護部材６３３ｂは、図１６及び図１８に表れているように、長手方向に延びる棒状の部材であり、長手方向に沿って複数の半円柱状の窪み６３３ｂａ、６３３ｂｂが配列されている。この窪み６３３ｂａ及び窪み６３３ｂｂはいずれも緩衝シート２０が巻かれた感光体ドラムユニット１０のフタ材側端部の外周の一部を覆って安定して保持することができる形態とされている。窪み６３３ｂａは当該フタ材側端部の下半分、窪み６３３ｂｂは当該フタ材側端部の上半分をそれぞれ覆って保持する。従って、箱体３２の最も底部３２ｂ側に配置されるフタ材側保護部材６３３ｂには窪み６３３ｂａのみが配列され、箱体３２の最もフタ部３２ｃ側に配置されるフタ材側保護部材６３３ｂには窪み６３３ｂｂのみが配列されている。そして、その間に配置されるフタ材側保護部材６３３ｂには上面側に窪み６３３ｂａ、及び下面側に窪み６３３ｂｂが配列されている。
【００７２】
図１６のように、可動端部部材側保護部材６３３ａを箱体３２の内側の一つの側部３２ａに沿うように配置し、フタ材側保護部材６３３ｂをそれとは対向する箱体の側部３２ａに沿うように配置して、感光体ドラムユニット１０と組み合わせつつ、箱体３２の底部３２ｂ側からフタ部３２ｃ側に積み上げていく。
【００７３】
このような構成の梱包容器６３１、及び、ここに感光体ドラムユニット１０が配置された梱包体６３０によっても、可動部を有する端部部材が装着された感光体ドラムユニットであっても、当該可動部が保護部材３４により保護されているため、傷つき、輸送中に可動部が動き、部材同士の擦れにより削れた粉が感光体に付着したり、部材の間に入り込んだりする不具合を抑制できる。
【符号の説明】
【００７４】
１０  感光体ドラムユニット
１１  感光体ドラム（円柱状回転体）
１２  フタ材
１３  端部部材
１４  軸受部材
１５  軸部材
２０  緩衝シート
３０、１３０、２３０、３３０、４３０、５３０、６３０  梱包体
３１、１３１、２３１、３３１、４３１、５３１、６３１  梱包容器
３２  箱体
３３  仕切り（整列補助部材）
３４、１３４、２３４、３３４、４３４、  保護部材
６３３ａ  可動端部部材側保護部材（保護部材）
６３３ｂ  フタ部材側保護部材（保護部材）
【図１】
2017072761.tif 000003
【図２】
2017072761.tif 000004
【図３】
2017072761.tif 000005
【図４】
2017072761.tif 000006
【図５】
2017072761.tif 000007
【図６】
2017072761.tif 000008
【図７】
2017072761.tif 000009
【図８】
2017072761.tif 000010
【図９】
2017072761.tif 000011
【図１０】
2017072761.tif 000012
【図１１】
2017072761.tif 000013
【図１２】
2017072761.tif 000014
【図１３】
2017072761.tif 000015
【図１４】
2017072761.tif 000016
【図１５】
2017072761.tif 000017
【図１６】
2017072761.tif 000018
【図１７】
2017072761.tif 000019
【図１８】
2017072761.tif 000020